Podtech/llm-jp-corpus-v4-ja_patent huggingface dataset:
(57)【要約】【課題】ミネラル飲料水および海底深層水について、塩分を除去した場合には、その除去作用によって有用なミネラル原となる物質の含有量を低減させ、有効成分の減少により種々の機能が低減する課題がある。【解決手段】米国ハワイ州沖海洋深層塩水を原液とし、この原液または真水で希釈した希釈液を原料とし、原液を３０倍以上５０倍以下で希釈した塩分含有深層海水飲料とする。【選択図】  図１
2011160776.tif 000002
【特許請求の範囲】
【請求項１】
米国ハワイ州沖海洋深層塩水を原液とし、この原液または真水で希釈した希釈液を原料とすることを特徴とする塩分含有深層海水飲料。
【請求項２】
前記原液を３０倍以上５０倍以下で希釈した請求項１記載の塩分含有深層海水飲料。
【請求項３】
前記原液を逆浸透膜によるフィルタを用いて加圧透過させた請求項１記載の塩分含有深層海水飲料。
【請求項４】
請求項１−３記載の原液を加熱殺菌してボトルに充填した塩分含有深層海水飲料。
【発明の詳細な説明】
【技術分野】
【０００１】
本発明は塩分含有のミネラル飲料水、特にハワイ近傍の海底深層水を用いた塩分含有深層海水飲料に関する。
【背景技術】
【０００２】
近年、若年層ないし高齢層まで幅広い年齢層の人々において、健康の維持・向上さらには美容推進等のため、各種のミネラル飲料が開発されて拡販され、今後さらに普及する傾向が高まって来ている。このような飲料水において特に着目されている健康飲料水として、ハワイ近海海底部で採取される水がある。
【０００３】
ところで従来一般には飲料水に塩分を含有することは人々に好まれず、ハワイ近傍の海底深層水を飲料水に適用する場合においても塩分を種々の方法で除去し、塩辛い味覚を排除して飲み易い状態で供給している。
【０００４】
従来この種の技術として、水深２００ｍ以上の海洋深層水をセラミックフィルタにより微生物濾過等の処理を施し、電気透析を行った後、陽イオンのみを回収して安定したミネラル水を得る方法が知られている（例えば、特許文献１等参照）。
【０００５】
また、海洋深海水から白雲母、正長石等の有害物質を除去し、ナトリウムやカリウム等の含有比率を調整したミネラル水を得る方法等も提案されている（例えば、特許文献２等参照）。
【先行技術文献】
【特許文献】
【０００６】
【特許文献１】特開２００２−２０５０７０号公報
【特許文献２】特開２００４−２６７８９９号公報
【発明の概要】
【発明が解決しようとする課題】
【０００７】
従来では、ミネラル飲料水および海底深層水について塩分の低減または除去等により、比較的飲み易い状態で供給することが一般的であった。しかし、塩分を除去した場合には除去作用によって有用なミネラル原となる物質の含有量が低減し、有効成分の減少により種々の機能が低減する課題がある。例えば塩分を含む海底深層水、特に塩分を５％程度含有する濃縮深層水の場合には、これを飲用することにより血液が浄化する（サラサラとなる）機能が得られることが実証されている。
【０００８】
本発明は上記事情に鑑みてなされたものであり、ハワイ近傍の海底深層水を用い、塩分を保持しつつミネラル原となる物質が豊富に含まれた有用性の高い塩分含有深層海水飲料を提供することを目的とする。
【課題を解決するための手段】
【０００９】
本発明は上記目的を達成するため、米国ハワイ州沖海洋深層塩水を原液とし、この原液または真水で希釈した希釈液を原料とすることを特徴とする塩分含有深層海水飲料を提供する。
【００１０】
また、本発明では、前記原液を３０倍以上５０倍以下で希釈した塩分含有深層海水飲料を提供する。
【００１１】
また、本発明では、前記原液を逆浸透膜によるフィルタを用いて加圧透過させたことを特徴とする塩分含有深層海水飲料を提供する。
【００１２】
また、本発明では、前記原液を加熱殺菌してボトルに充填したことを特徴とする塩分含有深層海水飲料を提供する。
【発明の効果】
【００１３】
本発明によれば、塩分を保持しつつミネラル原となる物質が豊富に含まれた有用性の高い塩分含有深層海水飲料を提供することができる。
【図面の簡単な説明】
【００１４】
【図１】本発明の塩分含有深層海水飲料の分析結果を示す表。
【発明を実施するための形態】
【００１５】
以下、本発明に係る塩分含有深層海水飲料の実施形態について、図１を参照して説明する。
【００１６】
本実施形態では、米国ハワイ州カイルア・コナ沖にて、水深９１５ｍの水域から海水を取水した。この取水した海水、すなわち海洋深層水を原液とし、逆浸透膜（ＲＯ）からなるフィルタにて圧力をかけて通水し、濾過した。  
これにより、水の分子だけを透過させて純水のみを取り除き、残りの濃縮海洋深層水の原液を加熱殺菌し、ボトルに充填した。  
このボトルに充填した水を飲用時に真水にて３０倍以上５０倍以下に希釈し、飲用する。
【００１７】
図１は、この水を分析した分析結果を示す表である。なお、図１に示した分析結果は、「厚生労働省告示、栄養表示基準別表２第３欄、ＩＣＰ発光分光分析法」に基づいている。
【００１８】
この図１に示すように、本実施形態の塩分含有濃縮海洋深層水の分析結果によれば、ナトリウム含有量は１３０００ｍｇ／Ｌであり、カリウム含有量は５３０ｍｇ／Ｌであった。  
また、マグネシウム含有量は１７００ｍｇ／Ｌであり、カルシウム含有量は４９０ｍｇ／Ｌであった。  
また、水素イオン濃度（ＰＨ）は、測定時水温２０℃のもとで、７．３であった。
【００１９】
（日本の濃縮海洋深層水との比較）
日本の濃縮海洋深層水として、大船渡市、久米島、佐渡、室戸の各水域において、濃縮海洋深層水を得た。これらの水域で得た濃縮海洋深層水では、上述の本発明による、塩分を保持しつつミネラル原となる物質が豊富に含まれた有用性の高い塩分含有深層海水飲料を得ることはできなかった。
【図１】
2011160776.tif 000003
(57)【要約】      （修正有）【課題】野生の樟芝の生育環境に似せて、高い多糖類およびトリテルペン含量を効果的に得る培養方法、および容易に大量製造することができる方法を提供する。【解決手段】天然純正由来の樟芝菌株（Ａｎｔｒｏｄｉａ  ｃｉｎｎａｍｏｍｅａ）を、野生の樟芝が生育する自然環境に似せ、人工固体培養を用い、天然の樟芝にもっとも近い高品質の菌糸体を大規模製造する。穀物が原料である特殊な培養基質、特殊な純正の菌株、培養条件、および菌糸体の特殊な回収方法により、天然の樟芝にもっとも近い製品を製造する。【選択図】図１
2011087550.tif 000002
【特許請求の範囲】
【請求項１】
本発明は、天然純正由来の樟芝菌株（Ａｎｔｒｏｄｉａ  ｃｉｎｎａｍｏｍｅａ）の構築に関し、野生の樟芝が生育する自然環境に似せ、人工固体培養を用い、天然の樟芝にもっとも近い高品質の菌糸体を大規模製造する方法であって、穀物が原料である特殊な培養基質、特殊な純正の菌株、培養条件、および菌糸体の特殊な回収方法により、天然の樟芝にもっとも近い製品を製造・生産する方法。
【請求項２】
ガラス瓶は加熱容器とする、請求項１に記載の多糖類およびトリテルペンを多く含む製品の生産方法。
【請求項３】
滅菌器の滅菌温度は１１０℃で、５０分間保持することを特徴とする、請求項１に記載の多糖類およびトリテルペンを多く含む製品の生産方法。
【請求項４】
ガラス瓶に充填する穀物の体積は１００ｃｃであることを特徴とする、請求項１に記載の多糖類およびトリテルペンを多く含む製品の生産方法。
【請求項５】
本発明の培養基質に対して、培養期間中の温湿度は３段階に分けて制御され、１６℃×ＲＨ８０％、１８℃×ＲＨ７５％、１６℃×ＲＨ８０％であり、各段階は２５〜３０日間であることを特徴とする、請求項１に記載の多糖類およびトリテルペンを多く含む製品の生産方法。
【請求項６】
乾燥作業は８０℃で２４時間行い、菌糸製品の水分を０．２％以下にし、樟芝の活性を保証することを特徴とする、請求項１に記載の多糖類およびトリテルペンを多く含む製品の生産方法。
【発明の詳細な説明】
【技術分野】
【０００１】
本発明は、野生の樟芝＜ベニクスノキタケ＞に近い、高含量の多糖類（１０．８％±０．１８）およびトリテルペン（１１．７％±０．１１）を含む菌糸体を製造する方法である人工培養方法に関する。
【背景技術】
【０００２】
従来の人工培養方法では、野生の樟芝の確実な培養基質および最適条件が詳細にわかっていないため、この人工培養方法によって得られた菌糸体に含まれる有用な多糖類およびトリテルペン化合物含量は全体的に高くない。概して多糖類約５〜８％、トリテルペン約２〜３％である。これが、従来の人工培養技術に改良が待たれる部分である。
【発明の概要】
【発明が解決しようとする課題】
【０００３】
本発明の主要な目的は、野生の樟芝の生育環境に似せて、高含量の多糖類およびトリテルペンを効果的に得る培養方法、および容易に大量製造することができる方法を提供する。
【課題を解決するための手段】
【０００４】
１９９０年、生化学界に発表された樟芝は、牛樟芝とも呼ばれ、学名をＡｎｔｒｏｄｉａ  ｃａｍｐｈｏｒａｔａとする新種である。台湾特有の品種であり、海抜４５０〜２０００メートルの山地のみに生育する樹齢１００年以上の牛樟樹（Ｃｉｎｎａｍｏｕｍ  ｋａｎｅｈｉｒａｉ）の幹内部の腐った内壁、または枯れて倒伏した牛樟樹の湿った表面に寄生する。生育期は毎年わずか６月から１０月までである。
【０００５】
図１に示すように、穀物１０を選別後、特殊な瓶２０に入れて栓をし、特製のステンレス鋼の棚２２に放置する。特製の滅菌器２６に入れ、滅菌して雑菌を除き、その後特定の温度まで冷却する。続いて、無菌状態の植種台４０で植種液３６を投入して培養棚４２に置き、特別に調整した温湿度で培養する。菌糸の生育速度は標準状態に基づいて記録する。早すぎまたは遅すぎは理想的ではなく、生育の環境条件を調整してそれを保持し、標準成長曲線が一致するようにして、多糖類およびトリテルペンを多く含む菌糸を得るようにする。雑菌が発生した場合、瓶ごと除去して、製品すべてが要求に見合うことを保証する。原材料は厳格に選別するため、培養が終了した製品の瓶をすべて回収することができ、作業の複雑度を減らしている。回収した製品は乾燥器４６で乾燥し、水分を０．２％以下にして長期保存できるようにする。製粉機６０で製粉して、乾燥完成品の品質を均一にする。包装前に、成分と雑菌数を確認し、充填包装機７０に送り包装する。作業はすべてＧＭＰ環境で行われる。最終製品は、多糖類およびトリテルペン成分を多く含むほか、安全衛生面の需要も満たすことができる。
【図面の簡単な説明】
【０００６】
【図１】図１は本発明のブロックフローチャート図である。
【図２】図２は容器の寸法である。
【発明を実施するための形態】
【実施例】
【０００７】
穀物１０は米、ムギ、トウモロコシから選択した。上等品を選別し、品質は均一であればよく、含まれる炭水化物成分を分析して、瓶ごとの充填量（充填する穀物の体積は、毎瓶１００ｃｃを基準とした）を決定した。瓶２０の形状は図２に示す通りで、耐熱ガラスで作成し、容積は７００ｃｃとした。瓶の上部には、樟芝が生育する際の呼吸用の空間が必要であり、通気孔（６ｍｍΦ）が必要な栓部分には綿栓を用いた。滅菌器２６で毎回３００瓶を処理した。１１０℃で５０分間加熱して、確実に雑菌を死滅させ、滅菌が終了した瓶を冷却棚３０に置いて冷却した。室温を１６℃、ＲＨ（相対湿度）を６０％に制御して、特殊な菌株の生育環境に近い状態まで冷却した。無菌植種台４０で、調製した植種液３６（植種液中には樟芝の成長に必要な栄養液を含有した）を投入した後、培養室に運び、瓶２０を培養棚４２に置いた。培養中に適した温湿度環境に移動できるよう、培養棚４２は可動式とした。培養中は、１６℃×ＲＨ８０％、１８℃×ＲＨ７５％、１６℃×ＲＨ８０％の３段階により温湿度を調整し、菌糸の最適な生育条件にした。各段階は２５〜３０日間とした。
【０００８】
菌糸の生育速度は、制御できるように標準サンプルを用いて比較した。培養が終了すると、検査後に瓶すべてを回収した。乾燥器４６に入れて８０℃で２４時間の乾燥作業を行い、完成品の水分量を確実に０．２％以下にして、樟芝の活性を保持した。製粉機６０で均一な顆粒に製粉し、完成品の多糖類およびトリテルペンが制御範囲内にあることを保証した。充填を行う前に、成分を化学分析し、品質を保証するために微調整を行った。最後に充填包装機７０で完成品の包装作業を行い、倉庫保管した。作業はすべてＧＭＰの要求に従って行われ、製品の多糖類およびトリテルペンの含量表示、および安全需要を保証した。
【０００９】
上記を総合すると、本発明の目的を達成したため、本出願人は法に基づき出願を行った。
【符号の説明】
【００１０】
１０  穀物
２０  ガラス瓶
２２  充填棚
２６  滅菌器
３０  冷却棚
３６  植種液
４０  植種台
４２  培養棚
４６  乾燥器
６０  製粉機
７０  充填包装機
【図１】
2011087550.tif 000003
【図２】
2011087550.tif 000004
(57)【要約】      （修正有）【課題】種を播くとき熟練していないと、適宜に播けず、疎らになったり、密植になったりする、種も多く要る不都合を解決する。【解決手段】種２をあらかじめ播種する間隔に、テープ１に付着させておき、それを畑に埋め込むことにより、この課題を解決する。【選択図】図１
2011087561.tif 000002
【特許請求の範囲】
【請求項１】
テープに種を貼り付けた、種蒔き支援、種テープ
【請求項２】
テープの素材は土に埋めたら溶けて自然に帰るもの
【発明の詳細な説明】
【技術分野】
【０００１】    本発明は種子播きに関するもので、種子をあらかじめ播種する間隔にテープに貼り付けておくものである。
【背景技術】
【００２】  従来は種子は手で播かれてきたが、種を播く機械が開発され大規模の畑で使用されている。
【発明の開示】
【発明が解決しようとする課題】
【０００３】  家庭菜園や小規模の畑では、機械は種毎のアタッチメントを必要とするなど機械が高価な為使用出来ないので、手で播かれている、手では適宜な間隔に播くのは難しく、密植になったり疎らになったりする、この不都合を解決することを課題とする。【０００４】  密植になれば間引きが困難で作業量も増える、種子は多量に必要になる。叉疎らになれば必要な所に苗が無いという不都合が生じる。
【課題を解決するための手段】
【０００５】  この課題を解決するための請求項１の発明は、種をテープに播種する間隔で付着させたことを特徴とする、種播きを支援する、種テープである。種を畑などに播くときは従来のように溝を掘りその中に種テープを埋め込むことにより正確に播種できる。【０００６】  請求項の２の発明は使用するテープは土の中に埋めたら溶けて土に還る紙などの素材とする。このことにより種と一緒に埋め込まれたテープは溶けて土に還る。【０００７】  種を貼り付けるテープに肥料や消毒液等を浸みこませておいてもよい。
【発明の効果】
【０００８】  本発明により、播種するとき適宜に作られた溝の中に埋め込むことにより、初心者でも密植や、疎らにならづ、正確な間隔で播種できる。正確な間隔であるため、成育に従っての間引きも容易である。【０００９】  播きたい条の長さ分だけ購入すればよいので不足や無駄が無い。
【発明を実施するための最良の形態】
【００１０】  図１は、種をテープに付けた斜視図で，種を付着させたらテープは巻き取っている。。
【産業上の利用可能性】
【００１１】  本発明に係る種テープは、工業的に量産することが可能であるため、産業上の利用可能性を有する。【００１２】  本発明の種テープは巻き取った状態で運び、購入者は必要な長さだけ購入でき、種の無駄が無い。
【図面の簡単な説明】
【００１３】
【図１】  本発明の種テープの斜視図であり、テープに種を付着し巻き取った状態である。
【符号の説明】
【００１４】  １  テープ
２  種
【図１】
2011087561.tif 000003
(57)【要約】【課題】  従来の製麺機は設備費、設置場所、メンテナンス等の観点から一般家庭において導入することが容易でない。また手作業では圧延した麺帯を複層に折りたたみ、包丁で麺線を等間隔に切り出すという時間のかかる作業であった。【解決手段】  まな板の片面一面に等間隔かつ同一形状の複数の溝を設けることによって一度に多数本の麺線を切り出すことができる製麺用のまな板を提供することができた。  また、溝の形状を変えることによって同じ動作で、きしめんからそうめんに至るまで、多種類の麺作りが可能となった。【選択図】図１
2011087558.tif 000002
【特許請求の範囲】
【請求項１】
まな板の片面一面に、等間隔かつ同一形状の複数の溝を設けたことを特徴とする製麺用まな板。
【請求項２】
上記溝は、幅や深さを変化させて設けることができる。また、溝の形状もＶ字形、上向きのコの字型、Ｕ字型と変化して設けることができる、請求項１記載の製麺用まな板。
【発明の詳細な説明】
【技術分野】
【０００１】  この発明は、片面を麺線の切り出しに用いるまな板の形状に関する。
【背景技術】
【０００２】  従来の製麺工程では圧延ローラでのばした麺帯から麺線を切り出すのに製麺機を使用することがある（例えば特許文献１）。また手作業においては、麺棒でのばした麺帯を複層に折りたたみ、包丁で麺幅を等間隔に切り出すこともある。
【先行技術文献】
【特許文献】
【０００３】
【特許文献１】特開２００５−２７８５２４号公報
【発明の概要】
【発明が解決しようとする課題】
【０００４】  従来の機械式製麺機は設備費、設置場所、メンテナンス等の観点から一般家庭において導入することが容易ではない。また手作業の場合には、のばした麺帯を複層に折りたたみ包丁で麺線を等間隔に切り出すという時間のかかる作業であった。
そこで、この発明は、まな板の片面で麺生地をのばして麺帯を作り、もう片面で麺線の切り出しが簡単にできる製麺用のまな板を提供することを課題とする。
【課題を解決するための手段】
【０００５】  以上の課題を解決するために、第一発明は、まな板の片面一面に、等間隔かつ同一形状の複数の溝を設けたことを特徴とする製麺用のまな板である。【０００６】  また、第二発明は、上記溝の幅と深さを、麺線の種類や太さの好みによって変化させたり、まな板の材質の特性に適した形状に変化させたりすることができることを特徴とする製麺用のまな板である。【０００７】  上記第一発明による作用は次の通りである。すなわち、まな板の平らな方の面に置いてのばして作った麺帯を、溝を設けた反対側の面に置き換え、溝に沿って麺棒をころがして圧延した時、線状となる溝の山線部分が刃の役割を果たし、切り出された麺線は溝に落ちる。【０００８】  第二発明による作用は、溝の幅と深さを変えることによって、例えばきしめん、うどん、そば、そうめんのように異なった太さの麺線を作ることができる。
また、溝の形状をＶ字型、上向きのコの字型、Ｕ字型に変えることによって、まな板の材質の持つ特性を活かした鋭利な溝の山線を設けることができる。
【発明の効果】
【０００９】  上述したように、本発明の製麺用まな板は、平らな方の面に置いて麺生地をのばして作った麺帯を、溝を設けた反対側の面に打ち粉をしてから置き、溝に沿って麺棒をころがし圧延すると一度に多数の麺線を切り出さすことができる。【０００１０】  切り出した麺線は溝に落ち、まな板を斜めに傾けると麺線はまな板の溝からすべり落ち、鍋に受けてすぐに茹でることができる。この発明により、麺帯をのばす、切る、茹でるという作業の一連性が高まる。【００１１】  まな板に残った打ち粉は、たわしで簡単に洗い流すことができ、まな板を立てると水分が溝に沿って流れ落ちるので、素早く乾燥し衛生的である。
【図面の簡単な説明】
【００１２】
【図１】この発明の一実施形態を示す斜視図である。
【発明を実施するための形態】
【００１３】  この発明の一実施形態を、図１に示す。
製麺用まな板本体１は食材を切るための基準を充足した材質であり、その材質の特性を生かす溝の形が設けられている。溝の山線部分に沿って麺棒をころがして麺帯を圧延することから、まな板に固い素材を使用すると溝の山線が鋭利となり、当該部分の耐摩耗性が向上する。
【００１４】  溝の幅、深さは、求める麺線の太さに応じて設ける。
【００１５】  溝の形状は、まな板の材質に適する加工方法に応じて、Ｖ字型・上向きのコの字型・Ｕ字型より選択して設ける。
【００１６】  まな板の大きさは１回の圧延で出来上がる麺線の量に応じて自在に選択する。
【図１】
2011087558.tif 000003
(57)【要約】【目的】  草刈払い機チップソーのチップとチップの間のにげ部を切れ刃形状にすることで草の巻き付きを軽減し  作業の効率の向上と  作業者の肉体的疲労  精神的疲労を軽減し  楽に草刈り作業ができるチップソーを提供する。【構成】  草刈り払いチップソーは金属製円盤状の形状をしており、草刈り部は超硬チップがロー付けされている。チップ間のにげ部に切れ刃を設けたチップソーとなっており  切れ刃は上側切れ刃  あるいは  下側切れ刃のチップソー。  下側切れ刃は  小石  土などに接触しやすく  切れ刃を損傷させやすい。上側切れ刃は  これを回避しやすい形状となる構造の草刈りチップソー。【選択図】図１
2011087556.tif 000002
【特許請求の範囲】
【請求項１】
草の刈り払いチップソーは超硬のチップがロー付けされ、チップとチップの間は丸く  あるいは直線の連続で  逃げが設けられている。この逃げ部に鋭利な切り刃形状の角度を付け、逃げ部に草が入っても切ることが出来る。この部分に入り込んだ草の刈込みを可能としたことで、草の巻き付きを防止できる。
名称：巻き付き防止チップソー。
【請求項２】
草刈払いチップソーのチップとチップ間の逃げ部に切れ刃をソーの上面又は  下面に施したチップソー。
【発明の詳細な説明】
【発明の詳細な説明】
【産業上の利用分野】
【０００１】  本発明は、ごく一般的に使用されている  刈払機用チップソーのチップを固定している円盤部のチップとチップの間の  逃げ部に切れ刃をつける。
【背景技術】
【０００２】  通常使われている刈払機用チップソーはのこぎり状の円盤の刃部先端に超硬チップをロー付けされていて、チップとチップの間は逃げが設けられており、草刈り時回転するソーのチップがつぎつぎと草の茎に当たり刈っていく。逃げ部は金属板を打ち抜いた状態のもので、チップとチップの間の逃げ部に草の茎が侵入しても面あたりとなり、特に何も施されていない為巻き付きやすい。
本発明品に類する市販品は見あたらない。
【発明が解決しようとする課題】
【０００３】  刈払い機のチップとチップの間の逃げ部に切れ刃状の角度を付けた形にすることで  草がチップとチップの間の逃げ部に侵入しても面あたりでなく切れ刃で切断していく  原因の巻き付きが解消でき  作業が容易となり  草刈り効率がアップする。
【課題を解決するための手段】
【０００４】  チップソーのチップとチップの間の逃げ部に  切れ刃をつける。この部分でも侵入した草を刈払いできることで、チップソーへの草木のからみつきを減少させ草刈り払いが楽に出来るチップソー。
【発明を実施するための形態】
【０００５】本発明は、チップソーのチップとチップの間の逃げ部に切れ刃をつけ草木の巻き付きを無くすことで  作業者の疲労を軽減することができ、草刈り作業を効率アップすることが出来る。
切れ刃は上側切れ刃  あるいは  下側切れ刃のチップソー。
下側切れ刃は  小石  土などに接触しやすく  切れ刃を損傷させやすいが切れ味効果は高い。
上側切れ刃は  これを回避しやすい形状となる構造の草刈りチップソー。
【実施例】
【０００６】  以下、図について本発明の実施例を述べる。
（イ）本発明のチップソーのチップとチップの間の逃げ部のすべてに切れ刃状の角度をつけることで、この逃げ部に草木が侵入しても  刈払える切れ刃にした。
（ロ）逃げ部の切れ刃はチップ付近とえぐり込み部の深いところでは  切れ刃角度を変え、チップのチップのロー付け強さに影響を与えない形状にする。
チップ近くは緩やかな角度にし  えぐり部はよく切れるよう角度をよりつける。
【発明の効果】
【０００７】  本発明は、チップ間の逃げ部に切れ刃を付けることで、草刈払いで巻き付きを減らし草刈り作業の効率と  巻き付かないことで作業安全が計られ、作業者の疲労の軽減につながり、効果的な農作業ができる。
【図面の簡単な説明】
【図１】本発明のチップ部図、下面から見た図
【符号の説明】１はチップ、２は逃げ部、３はチップソー本体、４は逃げ部の切れ刃、
【図１】
2011087556.tif 000003
【図２】
2011087556.tif 000004
【手続補正書】
【提出日】平成21年12月26日(2009.12.26)
【手続補正１】
【補正対象書類名】図面
【補正対象項目名】全図
【補正方法】変更
【補正の内容】
【図１】
2011087556.tif 000005
(57)【要約】【課題】  簡単な構造で、人間には行うことの出来ない「舐める」というスキンシップ法を、動物ととることの出来る愛玩動物用ストロークスティックを提供する。【解決手段】  動物の舌の形状を模した柔軟部材からなる本体部（１）と、前記本体部に取っ手（２）を備える愛玩動物用玩具であって、前記本体部と前記取っ手部との間に動物の顔と体毛を模した飾り（３）を備えたことを特徴とする愛玩動物用ストロークスティック。【選択図】図１
2011087554.tif 000002
【特許請求の範囲】
【請求項１】
2011087554.tif 000003
を備える愛玩動物用玩具であって、前記本体部と前記取っ手部との間に動物の顔と体毛を模した飾り（３）を備えたことを特徴とする愛玩動物用ストロークスティック。
【発明の詳細な説明】
【技術分野】
【０００１】  本発明は、犬や猫等の愛玩動物と深いコミュニケーションを得る動物用具であって、特に簡単な構造で、人間には行うことの出来ない「舐める」というスキンシップ法を、動物ととることの出来る愛玩動物用ストロークスティックに関するものである。
【技術背景】
【０００２】  従来、遊ぶことを目的とした動物用玩具があった。
猫じゃらしと呼ばれるエノコロ草等の道具が良く知られている。
魚やネズミを模した玩具等もある。
また、体毛を整えるためのブラッシング用ブラシ等のケア用具があった。
【発明の概要】
【発明が解決しようとする課題】
【０００３】  しかしながら、次のような問題点があった。
（イ）動物の最も基本で最も重要なスキンシップ方法と愛情表現法は、舐める、舐め合う    という行為であるが、衛生上の問題からも、人間が動物を舐めることは出来ない。
（ロ）人間は、動物にほんの少し口や粘膜を接触しただけで、感染症等の危険がある。
愛情があるからと言って、人間が動物と舌や口腔を使って接触することは、アレル    ギー、アトピー、人畜感染症等の危険性が高く、行うことは出来ない。
（ハ）心理学の交流分析（ＴＡ）では、相手の存在や価値を認めるさまざまな働きかけの    ことをストロークと呼ぶ。
ストロークは、全ての人間にとって健康な生活をするために必要不可欠なものであ    り、ストロークをもらうと非常に嬉しいものであり、ストロークが不足すると、飲食    物が不足した時のような飢餓感が生じ、さまざまな障害が起こる。
それは動物も全く同様である。
（ニ）撫でたりさすったり微笑んだり、相手を認める全ての言動がストロークとなる。
人間と動物との触れ合いは、ストロークの交換であり、互いにストロークを出し合    う事により、スキンシップと信頼関係を図ることが出来る。
（ホ）ストロークが不足すると、問題行動や体の疾患まで引き起こしてしまう。
ストローク飢餓が生じると、動物はストロークをもらうために人間の気を引こうと    してイタズラや問題行動を起こすようになってしまう。
更にストローク飢餓が進むと、病気をも引き起こしてしまう。
人間にとっても動物にとっても、ストロークはとても重要な栄養素である。
（ヘ）動物にとって、最も重要で最も基本的なストロークは、「舐める」「舐められる」    といった、舌を使ったスキンシップ方法である。
愛玩動物は一生懸命舌を使って人間を舐め、たくさんのストロークを人間に与えて    くれる。
しかし、人間側は、最も重要で最も動物が欲している「舐めてあげる」行為を動物    ととることが出来ず、大切なストロークを愛玩動物へ与えてあげる事が出来ない。
そのため、愛玩動物とのコミュニケーション不足とストローク不足を招き、愛玩動    物の寂しさやストレス、ストローク飢餓による問題行動や病気等の一因となっていた    。
本発明は、これらの問題点を解決するためになされたものである。
【問題を解決するための手段】
【０００４】  動物の舌の形状を模した本体部分に、取っ手を設ける。
本体部分は柔軟性のある部材、例えばシリコンなどの樹脂を成型したものである。
本体部分と取っ手のつなぎ目には、動物の顔と体毛を模した飾りを備える。
顔から舌が出ている状態を模する。
以上を特徴とする愛玩動物用ストロークスティックである。
【発明の効果】
【０００５】（イ）人間には行えない、舐めるという行為を、簡単な構造で、擬似的に行うことが出来    き、動物と深いコミュニケーションをとることが出来る。
（ロ）容易に動物と深い触れ合いを行うことが出来、動物のストレスを軽減させ、喜ばせ    ることが出来る。
（ハ）動物の最も基本で最も重要、且つ最も欲している「舐めてあげる」というストロー    クを、動物に与えることが出来る。
【図面の簡単な説明】
【０００６】
【図１】  本発明の斜視図である。
【図２】  本発明の側面図である。
【発明を実施するための形態】
【０００７】  以下、本発明の実施の形態について説明する。
（イ）動物の舌を模した本体部分（１）。
（ロ）本体部分は柔軟性のある部材、例えばシリコンなどの樹脂を成型したものである。
（ハ）本体部分に取っ手（２）を取り付ける。
（ニ）動物の顔と体毛を模した飾り部分（３）。
（ホ）本体部分と取っ手部分のつなぎ目に、飾り部分を取り付ける。
本発明は以上のような構成で、これを使用するときは、取っ手を持ち、本体部分で動物の体を舐めるように撫でていく。
舐める行為の疑似行為を行うことが出来る。
人間と動物とで、深いコミュニケーションを安全に容易にとることが出来る。
大切なストロークを動物に与えることが出来、本発明で撫でられた動物はストレス軽減と深いリラクゼーション効果、喜びを得ることが出来る。
最重要なスキンシップ法が、容易に安全で衛生的に可能になった。
遊具、ブラッシング、マッサージ等ではなく、舐める行為を擬似的に再現することを目的とした用具である。
【符号の説明】
【０００８】  １  本体部
２  取っ手部
３  飾り部
【図１】
2011087554.tif 000004
【図２】
2011087554.tif 000005
(57)【要約】【課題】従来の、抵抗の両端電圧を測定して電流検出を行うものでは、交流に挿入した抵抗によって消費される電力が発生し、力率改善回路の損失が増大し、抵抗のコストがかかるという課題があった。本発明は回路損失およびコストを抑制したＡＣ−ＤＣコンバータを提供することを目的とする。【解決手段】電流検出手段を、スイッチング素子がオンしている期間のスイッチング素子の両端電圧から短絡電流を検出するものとし、これにより、電流検出用の抵抗が不要となり、回路損失とコスト低減することができる。【選択図】図１
2011087419.tif 000002
【特許請求の範囲】
【請求項１】
交流を直流に変換する整流回路と、前記交流をインダクタンスを介して短絡するスイッチング素子と、前記スイッチング素子を流れる短絡電流を検出する電流検出手段と、前記交流の電圧の０クロスタイミングを検出する０クロス検出手段と、前記短絡電流と前記クロスタイミングとからスイッチング素子の駆動信号を出力する力率制御手段とから構成され、前記電流検出手段が前記スイッチング素子がオンしている期間の前記スイッチング素子の両端電圧から短絡電流を検出することを特徴とする力率改善回路を有するＡＣ−ＤＣコンバータ。
【発明の詳細な説明】
【技術分野】
【０００１】
本発明は、入力電流を正弦波状に制御することで力率の改善と高調波の抑制を行うＡＣ−ＤＣコンバータに関する。
【背景技術】
【０００２】
従来、この種の力率改善回路としては、例えば交流に挿入した抵抗の両端電圧を測定して電流検出を行うものがあった（例えば、特許文献１参照）。
【先行技術文献】
【特許文献】
【０００３】
【特許文献１】特開２００１−１４５３６０号公報
【発明の概要】
【発明が解決しようとする課題】
【０００４】
しかしながら前記従来技術では、交流に挿入した抵抗によって消費される電力が発生し、力率改善回路の損失が増大するという課題がある。また、抵抗のコストがかかるという課題がある。
【０００５】
本発明は、上記従来技術の課題を解決するもので、回路損失およびコストを抑制した力率改善回路を提供することを目的とする。
【課題を解決するための手段】
【０００６】
前記従来の課題を解決するために、本発明の力率改善回路は、電流検出手段がスイッチング素子がオンしている期間のスイッチング素子の両端電圧から短絡電流を検出するものである。これによって、電流検出用の抵抗が不要となり、回路損失とコスト低減することができる。
【発明の効果】
【０００７】
本発明の力率改善回路は、回路の損失とコストを低減することができる。
【図面の簡単な説明】
【０００８】
【図１】本発明の実施の形態１における回路構成図
【図２】本発明の実施の形態１におけるスイッチング素子の特性図
【発明を実施するための形態】
【０００９】
第１の発明は、交流を直流に変換する整流回路と、前記交流をインダクタンスを介して短絡するスイッチング素子と、前記スイッチング素子を流れる短絡電流を検出する電流検出手段と、前記交流の電圧の０クロスタイミングを検出する０クロス検出手段と、前記短絡電流と前記クロスタイミングとからスイッチング素子の駆動信号を出力する力率制御回路とから構成され、前記電流検出手段が前記スイッチング素子がオンしている期間の前記スイッチング素子の両端電圧から短絡電流を検出することにより、電流検出用の抵抗を挿入する必要が無く、回路損失とコストを低減できる。
【００１０】
以下、本発明の実施の形態について、図面を参照しながら説明する。
【００１１】
なお、この実施の形態によって本発明が限定されるものではない。
【００１２】
（実施の形態１）
図１は、本発明の第１の実施の形態を説明する図である。
【００１３】
図１において、整流回路１は交流を直流へ変換し、ダイオード２を介して平滑コンデンサ３へ電力を蓄える。インバータ回路４はモータ制御回路５からの信号により直流を交流へ変換してモータ６を駆動する。
【００１４】
スイッチング素子７は力率制御手段８の駆動信号により、リアクタ９と整流回路１を介して交流を短絡させる。０クロス検出手段１０は交流電源１１の電圧０クロスを検出し、力率制御手段８へ０クロス信号を送る。電流検出手段１２はスイッチング素子７の駆動信号がオンの期間のスイッチング素子の両端電圧から短絡電流を検出する。力率制御手段８は電流検出手段１２から得られる短絡電流が０クロス信号に同期した正弦波波形と相似になるようにスイッチング素子７の駆動信号を出力する。
【００１５】
図２は、図１におけるスイッチング素子７のＯＮ時の電流と両端電圧の関係を示す一例である。
【００１６】
図２において、ＯＮ時の電流と両端電圧の関係は単調増加の関係であるので、電流検出手段１２はＯＮ時の両端電圧から短絡電流を換算することが可能である。
【産業上の利用可能性】
【００１７】
以上のように、本発明の力率改善回路は、回路損失とコストを増大させること無く力率改善が可能となるので、回路効率の高い安価なＡＣ−ＤＣコンバータが提供できる。
【符号の説明】
【００１８】
１  整流回路
２  ダイオード
３  平滑コンデンサ
４  インバータ回路
５  モータ制御回路
６  モータ
７  スイッチング素子
８  力率制御手段
９  リアクタ
１０  ０クロス検出手段
１１  交流電源
１２  電流検出手段
１３  力率制御回路
【図１】
2011087419.tif 000003
【図２】
2011087419.tif 000004
(57)【要約】      （修正有）【課題】読書の時に両手で保持し続ける必要が無く、冬の寒い時の長時間の読書でも楽な、また、卓上に所定の角度を持って載置出来るようにして見やすく、ページ数が少なくなってもページが膨らみ本が閉じることの無い、パソコンやワープロの入力も参考書を見ながら可能な読書台を提供する。【解決手段】斜めカット部分２を有する円筒本体１に本を見開き状態で載置し、斜めカット部分２の下部に滑り止め３を設けて安定させる。本の左右のページをページ繰り可能に押さえるために円筒本体１の左右に伸縮パイプ４を固定し、その先端にページ押さえ弁５を取り付ける。【選択図】図１
2011087878.tif 000002
【特許請求の範囲】
【請求項１】
本のサイズで、開いた左右両端寸法の約３分の１程度の高さと３分の２程度の直径の円筒本体（１）で底は無いものとする。この直径の中心線付近より手前の中央に本の滑り止め部分（３）を残して、その最も低いところで円筒（１）の高さの４分の１程度まで角度を付けて斜めに下がるように左右をカット（２）する。円筒本体（１）の中央奥の上部からこのカットに添わせて斜めに本を置くと滑り止め（３）の内側は床面に着くので本の角度は約３５度前後になる。貝形をした滑り止め（３）内側角度は本に対して約９０度にすると本はめくりやすく本を傷めない。その貝形をした滑り止め（３）の高さは円筒本体（１）の２分の１位とする。尚、本を見る角度によってはこの限りではない。
【請求項２】
本は読み始めや読み終わりのページ数の少なくなった方が膨れ上がるので、本の縦サイズに合うように伸縮パイプ（４）にバネを内蔵する。この伸縮パイプは円筒本体の手前滑り止め（３）の下部から前方上部にＶ型に固定をする。その先端に本の厚みに余裕をもたせた長さに蝶ネジ（７）で調整した金具のページ押さえ弁（５）を設ける。このページ押さえ弁（５）は左右自在に傾くようにしてページ数が少なくなるほど角度が大きくなるようにする。このページ押さえ弁（５）の傾きの重みで膨れ上がりを押さえるようにした。また、ページを捲ったときの挟み込みにもこの傾き長さの余裕が必要になる。
【発明の詳細な説明】
【技術の分野】
【０００１】  本の前方から斜めに下る角度を付け、見開きのままで目だけで読書ができる。本の読み始めや終わりのページ数が少なくなった方が膨れ上がったので、どうしても手が必要であった。これをなくすための読書台に関するものである。
【背景技術】
【０００２】  従来、本を読むときは両手がふさがり、本を資料にしながらパソコン、ワープロなどの入力は不便で、机の上の平置きでは見づらかった。更に読み始めと読み終わり近くなるとページ数の少ない方が膨らんで本が閉じてしまうことがあった。
【発明の開示】
【発明が解決しようとする課題】
【０００３】  これには次のような欠点があった。従来、本を読むときは両手を使わなければ本は見開きにできず左右バランスの悪いページでは手を放すと本は閉じてしまった。読書中の中座も本を伏せたり栞を挟んでいた。読書には両手は本と一体のものになっていた。更に卓上の平置きでは読みづらく目との距離が一定に保てなかった。
【課題を解決するための手段】
【０００４】  本の前方が高く角度のついた見開きの状態で本が読めて、手で持たずともページを捲るだけで読書、筆記、描写などができる。また、寒い時には手を暖めながら目だけで本が読める。本発明は手を使うのはページ捲りだけの構成とした。
【発明の効果】
【０００５】  この読書台を使うと安価で見開きができるので、冬の長時間の読書もページを捲るだけで目で本が読める。両手は空くので他のことをしながらでも本が読める。本の前方が高く角度が付いているので読みやすく、パソコンやワープロの転記などは資料本を見ながら打ち込める。図書館や学校で多量に利用することもできる。
【発明を実施するための最良の形態】
【０００６】  以下、本発明を実施するための最良の形態について説明する。
底無しの筒状の円筒本体（１）を置き、本の前方は円筒本体（１）の上に置き、手前は貝形の滑り止め（３）の中央で本を開けると斜めカット部分（２）に表紙が沿い安定する。読み始めや読み終わり近くになると、本のバランスが悪くなり少なくなったページが膨れ上がってくるので、本の縦寸法に自然に合うように伸縮パイプ（４）設けた。この先のページ押さえ弁（５）で押さえるようにした。この弁は本の厚みにより余裕をみって蝶ネジで調整をする。読書台の斜めカット部分（２）に開いたた本は３５度前後の角度がつき読みやすくした。以上のような構造である。
【図面の簡単な説明】
【０００７】
【図１】  本発明の平面図である。
【図２】  本発明の正面の立面図である。
【図３】  本発明の後方の立面図である。
【図４】  本発明の斜視図である。
【図５】  本発明の断面図である。
【符号の説明】
【０００８】    １  円筒本体
２  斜めカット部分
３  滑り止め
４  伸縮パイプ
５  ページ押さえ弁
６  内蔵バネ
７  蝶ネジ
【図１】
2011087878.tif 000003
【図２】
2011087878.tif 000004
【図３】
2011087878.tif 000005
【図４】
2011087878.tif 000006
【図５】
2011087878.tif 000007
(57)【要約】【課題】前出願（特願２００９ー１７５３２７）のウイルス捕捉フィルターでは、吸着剤としてベンゾイン樹脂を用いた。樹脂は界面張力によって木玉中心部に集まり、木玉表面に樹脂が無くなった。樹脂が表面を覆っている間が使用可能で、およそ５時間程度と十分ではなかった。【解決手段】桧の球体に粘りの弱い樹脂を染み込ませ吸収層とし、表面を粘りが強く木に染み込まない樹脂でコーティングし吸着層を形成する。２層化により解決する。【特許請求の範囲】
【請求項１】
桧の球体に、粘りの弱い親水性木質樹脂を染み込ませた吸収層と、木に染み込まない性質を持つ粘りの強い親水性木質樹脂でコーティングした吸着層を形成する。樹脂を２層化することによって使用可能時間を改善する。
【発明の詳細な説明】
【技術分野】
【０００１】  インフルエンザ等、空気感染を防ぐマスク。
【発明の概要】
【発明が解決しようとする課題】
【０００２】  前出願（特願２００９ー１７５３２７）では桧の球体に粘りの強いベンゾイン樹脂を染み込ませ吸気中の浮遊物を吸着させた。樹脂は呼気の水分を吸い液化し、その界面張力によって木玉中心部に集まり、木玉表面に樹脂が無くなった。樹脂が表面を覆っている間が使用可能時間で、およそ５時間程度であった。１日使う場合は２個必要となり、費用の面で困難があった。
【課題を解決するための手段】
【０００３】  桧の球体に粘りの弱い親水性木質樹脂ミラル等の抽出液を染み込ませ乾燥した後、木に染み込まない性質を持つ粘りの強い親水性木質樹脂フランキンセンス等の抽出液でコーティングし２層化する。
【発明の効果】
【０００４】  吸収層に粘りの弱い樹脂を使うことで中心部に集まる性質が弱まる。更に、吸収層は吸着層から張力を受けるため木玉全体に安定して分布できる。また、吸着層は内部に染み込まないため表面が塵に覆われるまで使用可能となる。どちらの層も親水性樹脂で、吸着された水分子は内部に吸収されるが、この過程で臭いなど分子の小さな成分も内部に吸収される。以上のように２つの層が相乗的に作用し使用可能時間を４ないし５倍に延ばすことができた。空気の汚れがひどい場合でも１０時間の使用が可能となり、ゆとりを持って１日使えるようになった。
(57)【要約】【課題】  重い品物を入れても、無理なく持ち運びができるエコバッグを提供する。【解決手段】  エコバッグを収納した円柱形のケース（１）の両側面にキャスター（２）を設けることにより、携帯時にはコンパクトに使用時には重い品物を入れても無理なく持ち運びができることを特徴とする。【選択図】図３
2011087881.tif 000002
【特許請求の範囲】
【請求項１】
エコバッグを収納した円柱形のケース（１）の両側面にキャスター（２）を設けたキャスター付エコバッグ。
【発明の詳細な説明】
【技術分野】
【０００１】  本発明は、携帯時にはコンパクトに収納し、使用時には重い品物を入れても無理なく持ち運びができる、キャスター付きエコバッグに関するものである。
【背景技術】
【０００２】  近年環境問題などからエコロジーに対して関心が高まっており、食料品、日用雑貨などを扱う量販店ではレジ袋をできるかぎり使用しない、エコバッグ持参を呼び掛ける店も多くなっている。その様なことからコンパクトに携帯できるエコバッグが活用されている。【０００３】  特許文献１には中段伸縮部、取っ手、車輪を有する車輪保持部を伸縮自在に装着した運搬具のベースを買い物袋に固着して、携帯時は買い物袋のポケットに収納し、使用時にはポケットを開けて中段伸縮部、取っ手、車輪保持部を伸ばして使用するものが記載されている。
【先行技術文献】
【０００４】
【特許文献１】特開平１１−２９９５２０
【発明の概要】
【発明が解決しようとする課題】
【０００５】  従来、エコバッグは携帯に便利なように、コンパクトに収納できるように考慮されたものは多くあるが、使用時（物を入れた時）を想定するとその機能は充分とは言えず、急速な普及には至っていない。【０００６】  エコバッグに物を入れ、床、路上に直接置くことは止むを得ない時以外したくないため常に手に下げることになる。【０００７】  食料品、日用雑貨などの買い物は女性が主体であり、エコバッグに重い物を入れ手に持って運ぶには人それぞれ限界がある。【０００８】  エコバッグは女性が持ち歩くものというイメージが強く、男性が抵抗なく持てるエコバッグがない。
本発明は以上の問題点を解決するものである。
【課題を解決するための手段】
【０００９】  上記問題点解決のため、本発明はエコバッグにキャスターを付けることにより、物を入れて使用するときに重い物でも無理なく運ぶことができる。【００１０】  使用時キャスター及びケースの一部が底辺部分になることにより、直接床、路上に置くことに抵抗がなくなる。【００１１】  エコバッグ本体の左右に、収納時には中心部に中折りできる拡張部を設けることにより、収納時には本体ケースにコンパクトに収まり、使用時には拡張部を左右の外側に出すことにより、大きな物また多量な物を入れることが可能となる。【００１２】  エコバッグをキャスター付きケースに入れることにより、今までのエコバッグのイメージが変わり、男性でも使用することに抵抗がなくなる。【００１３】  キャスターをエコバッグケースの両側面に取り付けることにより、キャスターを付けてもコンパクトな形状となり携帯しやすい物となる。
【発明の効果】
【００１４】  使用時重い物を入れて使用できるエコバッグがあることにより、エコバッグ利用者が増えエコバッグ普及につながる。【００１５】  エコバッグ普及によりレジ袋が減少となり、資源、環境問題の改善となる。【００１６】  キャスター付きエコバッグを使用することにより、多少重い商品も買うようになり、購買力が上がり経済効果の向上につながる。
【図面の簡単な説明】
【００１７】
【図１】本発明のケース本体を概略的に示す斜視図
【図２】本発明のケース本体蓋を開けた状態を概略的に示す斜視図
【図３】本発明の使用時の状態を概略的に示す斜視図
【図４】本発明のケース本体を概略的に示す正面図
【図５】本発明のケース本体を概略的に示す側面図
【図６】本発明の使用時の状態を概略的に示す下部側面図
【図７】本発明のエコバッグ本体を概略的に示す斜視図
【発明を実施するための形態】
【００１８】  以下、本発明を実施するための形態について説明する。
エコバッグを収納する本体ケース部（１）は円柱形とし、上部半分は蓋となり使用時にはエコバッグの底面となる。
【００１９】  本体ケース部（１）の両側面に上部カバー付きのキャスター（２）を設ける。
【００２０】  エコバッグ部分（３）は布製とし、両サイドに拡張部分（４）を設け、収納時には中心部に中折りし、上部より巻き本体ケースに収納する。
【００２１】  本体ケース内側とエコバッグ底面に各６ヶ所に面ファスナー（５）を設け固定する。汚れた時には外して洗濯が可能となる。
【００２２】  エコバッグ上部には品物が飛び出さないように、面ファスナー（６）を設ける。
【符号の説明】
【００２３】  １  本体ケース
２  キャスター
３  エコバッグ
４  エコバッグ拡張部
５  本体ケース蓋
６  取っ手
７  本体ケースとエコバッグ固定面ファスナー
８  エコバッグ上部面ファスナー
【図１】
2011087881.tif 000003
【図２】
2011087881.tif 000004
【図３】
2011087881.tif 000005
【図４】
2011087881.tif 000006
【図５】
2011087881.tif 000007
【図６】
2011087881.tif 000008
【図７】
2011087881.tif 000009
(57)【要約】【課題】従来の収納方法で必要とする鍋を取り出す際、流し台の下にある収納スペースを確認してなければ、脚立などを利用して上の棚の収納スペースを確認する。必要とする鍋があった場合、重ねていた上の鍋を取り出したり、その鍋が奥にある時は、手前の鍋を取り出したり無駄な動きと時間がかかります。また、高齢者が脚立などを使用する場合は、階段の踏み外しなどの危険性も考えられます。  本発明は、鍋やフライパンの収納、取り出しを容易にするための鍋吊り下げ収納台を提供する。【解決手段】フック取付台を形成して小穴をあけ、小穴にフックを取り付ける。  レール式棒に切れ目を入れ溝を作る。その溝にフック取付台を挿入する。  脚部横棒に滑り止めゴムを取り付け、脚部横棒と脚部連結棒を脚部継ぎ手で連結する。支柱棒にネジ切りの中穴をあける。脚部継ぎ手に支柱棒を取り付ける。支柱棒の穴に高さ調整棒を挿着して中穴に高さ調整ネジを取り付ける。高さ調整棒の上部にレール式棒継ぎ手を取り付けレール式棒と連結させたものである。【選択図】図４
2011087890.tif 000002
【特許請求の範囲】
【請求項１】
フック取付台を形成し小穴をあけ、小穴にフックを取り付け、別途設けた吊り下げ収納台のレール式棒に切れ目を入れ溝を作り、その溝にフック取付台を挿入し、脚部横棒に滑り止めゴムを取り付け、脚部横棒と脚部連結棒を脚部継ぎ手で連結し、支柱棒にネジ切りの中穴をあけ、脚部継ぎ手に支柱棒を取り付け、支柱棒の穴に高さ調整棒を挿着し、中穴に高さ調整ネジを取り付けた後、高さ調整棒の上部にレール式棒継ぎ手を取り付けレール式棒と連結した鍋吊り下げ収納台。
【発明の詳細な説明】
【技術分野】
【０００１】  本発明は、鍋やフライパンの収納、取り出しを容易にするための収納台に関するものである。
【背景技術】
【０００２】  従来、鍋やフライパンは、流し台の下にある収納スペースや流し台の上にある棚の収納スペースに重ねて収納していた。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】  従来の収納方法で必要とする鍋を取り出す際、流し台の下にある収納スペースを確認してなければ、脚立などを利用して上の棚の収納スペースを確認する。
必要とする鍋があった場合、重ねていた上の鍋を取り出したり、その鍋が奥にある時は、手前の鍋を取り出したり無駄な動きと時間がかかります。
また、高齢者が脚立などを使用する場合は、階段の踏み外しなどの危険性も考えられます。
本発明は、以上の問題点を解決する為になされたものである。
【課題を解決するための手段】
【０００６】  フック取付台を形成して小穴をあけ、小穴にフックを取り付ける。
レール式棒に切れ目を入れ溝を作る。その溝にフック取付台を挿入する。
脚部横棒に滑り止めゴムを取り付け、脚部横棒と脚部連結棒を脚部継ぎ手で連結する。支柱棒にネジ切りの中穴をあける。脚部継ぎ手に支柱棒を取り付ける。支柱棒の穴に高さ調整棒を挿着して中穴に高さ調整ネジを取り付ける。高さ調整棒の上部にレール式棒継ぎ手を取り付けレール式棒と連結させる。以上の構成よりなる鍋吊り下げ収納台。
【発明の効果】
【０００７】  キッチン台の上に鍋吊り下げ収納台を設置して鍋やフライパンの取っ手の穴を利用し収納台のフックに引っ掛ける。この収納方法により鍋やフライパンの取り出し・収納が容易になり無駄な動きと時間がかからなくなる。
また、高齢者の脚立での作業が少なくなるので危険性から回避できる。
【図面の簡単な説明】
【０００８】
【図１】本発明の斜視図
【図２】本発明のレール棒に取り付けた状態の側面図
【図３】本発明の斜視図
【図４】本発明の使用状態を示す斜視図
【発明を実施するための形態】
【０００９】  以下、本発明の実施の形態を説明する。
（イ）フック取付台（１）を形成して小穴（３）をあけ、小穴（３）にフック（２）を取り付ける。
（ロ）レール式棒（１２）に切れ目を入れ溝（１３）を作る。その溝（１３）にフック取付台（１）を挿入する。
（ハ）脚部横棒（４）に滑り止めゴム（５）を取り付け、脚部横棒（４）と脚部連結棒（７）を脚部継ぎ手（６）で連結する。
（ニ）支柱棒（８）にネジ切りの中穴（１１）をあけ、その支柱棒（８）と脚部継ぎ手（６）で連結する。
（ホ）支柱棒（８）の穴に高さ調整棒（９）を挿着して中穴（１１）に高さ調整ネジ（１０）を取り付ける。
（ヘ）高さ調整棒（９）の上部にレール式棒継ぎ手（１４）を取り付けレール式棒（１２）と連結させる。
本発明は以上のような構造である。
本発明を使用するときは、使い勝手の良い場所に設置する。例えば、キッチン台の上などの見えやすい場所に設置する。鍋やフライパンが多い場合は使用頻度の高い鍋やフライパンを選択する。選択した鍋やフライパンの取っ手の穴を利用し鍋吊り下げ収納台のフック（２）に引っ掛ける。鍋やフライパンが脚部連結棒（７）に干渉する場合は高さ調整ネジ（１０）を緩め、高さ調整棒（９）を引き上げ高さ調整を行い高さ調整ネジ（１０）を締める。
【符号の説明】
【００１０】  １  フック取付台
２  フック
３  小穴
４  脚部横棒
５  滑り止めゴム
６  脚部継ぎ手
７  脚部連結棒
８  支柱棒、
９  高さ調整棒
１０  高さ調整ネジ
１１  中穴、
１２  レール式棒
１３  溝
１４  レール式棒継ぎ手
Ａ  吊り下げ収納台
Ｂ  鍋
【図１】
2011087890.tif 000003
【図２】
2011087890.tif 000004
【図３】
2011087890.tif 000005
【図４】
2011087890.tif 000006